(57)【要約】【課題】  必要とされる水量が少なくて済み、しかも、頸椎を牽引治療しつつ、身体全体の血行促進等の面で満足な効果を得ることが可能な浴槽用健康器具を提供すること。【解決手段】  この発明の浴槽用健康器具は、浴槽１の上端面に載置するスローイング装置２及び蓋３と、浴槽１内に微細な水滴を吹き込む霧吹装置４とを有するものとしている。蓋３の上方に霧吹装置４を設けるとともに、蓋３に霧吹装置４に通じる供給管１１及び水吸引管１２を貫通させ、水吸引管１２によって浴槽１から吸引した水を霧吹装置４内で加熱し、微細な水滴にして供給管１１から浴槽１内に吹き込むようにすることができる。また、蓋３に霧吹装置４に通じる湯気吸引管１３を貫通させたものとすることができる。【選択図】  図１
2006136349.tif 000002
【特許請求の範囲】
【請求項１】
浴槽（１）の上端面に載置するスローイング装置（２）及び蓋（３）と、浴槽（１）内に微細な水滴を吹き込む霧吹装置（４）とを有することを特徴とする浴槽用健康器具。
【請求項２】
蓋（３）の上方に霧吹装置（４）を設けるとともに、蓋（３）に霧吹装置（４）に通じる供給管（１１）及び水吸引管（１２）を貫通させ、水吸引管（１２）によって浴槽（１）から吸引した水を霧吹装置（４）内で加熱し、微細な水滴にして供給管（１１）から浴槽（１）内に吹き込むようにした請求項１記載の浴槽用健康器具。
【請求項３】
蓋（３）に霧吹装置（４）に通じる湯気吸引管（１３）を貫通させた請求項２記載の浴槽用健康器具。
【発明の詳細な説明】
【技術分野】
【０００１】
この発明は、浴槽に取り付け、入浴時に使用する浴槽用健康器具に関するものである。
【背景技術】
【０００２】
従来、特許文献１に記載のような、入浴しながら頚、即ち頭後部両側の耳後元を起点として牽引して頸椎の治療をすることができるようにしたスローイング装置があった。このスローイング装置は、浴槽の上端面に載置する平面部と、この平面部に対して傾斜した面を有する斜面部と、この斜面部と前記平面部とが貫通して形成し後頭部を懸けることができる円弧部分と、頚を通すことができる開放部とからなり、浴槽の内部で全身を暖めながら血液の流れを良くし、筋肉をしなやかにすると同時に関節部をほぐしながら頸椎を牽引治療することができるようになっていた。
【０００３】
しかし、このスローイング装置の使用時には、浴槽に頸から上を除く身体全体が浸るように湯をはるため、多くの水量を必要とし、また、湯に浸るだけでは身体が十分に温まらず、身体全体の血行促進等をはかるという面では、必ずしも満足な効果を得ることはできなかった。
【特許文献１】特開平６−０４７０６７公報
【発明の開示】
【発明が解決しようとする課題】
【０００４】
そこで、この発明は、必要とされる水量が少なくて済み、しかも、頸椎を牽引治療しつつ、身体全体の血行促進等の面で満足な効果を得ることが可能な浴槽用健康器具を提供することを課題とする。
【課題を解決するための手段】
【０００５】
この発明の浴槽用健康器具は、浴槽１の上端面に載置するスローイング装置２及び蓋３と、浴槽１内に微細な水滴を吹き込む霧吹装置４とを有するものとしている。
【０００６】
蓋３の上方に霧吹装置４を設けるとともに、蓋３に霧吹装置４に通じる供給管１１及び水吸引管１２を貫通させ、水吸引管１２によって浴槽１から吸引した水を霧吹装置４内で加熱し、微細な水滴にして供給管１１から浴槽１内に吹き込むようにすることができる。
【０００７】
また、蓋３に霧吹装置４に通じる湯気吸引管１３を貫通させたものとすることができる。
【発明の効果】
【０００８】
この発明の浴槽用健康器具は、上述のような構成を有しており、必要とされる水量が少なくて済み、しかも、頸椎を牽引治療しつつ、身体全体の血行促進等の面で大きな効果を得ることが可能である。
【発明を実施するための最良の形態】
【０００９】
以下、この発明の好適な実施形態を、図面を参照して説明する。
【００１０】
図１はこの発明の実施形態の浴槽用健康器具を取付けた浴槽１の正面側からの断面図、図２は同右側面側からの断面図、図３はスローイング装置２の斜視図である。
【００１１】
この浴槽用健康器具は、浴槽１の上端面に載置するスローイング装置２及び蓋３と、浴槽１内に微細な水滴を吹き込む霧吹装置４とを有するものとしている。
【００１２】
スローイング装置２は、図３に示すようなもので、プラスチック、又は、木製からなり、浴槽１の一端側の上端面に載置することができる平面状の底面部５を有している。この底面部５には浴槽１からずり落ちないように、Ｌ字状の引っ掛かり部を浴槽１の寸法にあわせて調整可能に設けることができる。
【００１３】
スローイング装置２の上面には、底面部５に対して傾斜した面を有する斜面部６があり、この斜面部６と前記底面部５とを貫通して形成した後頭部を懸けることができる円弧状の頸入れ部７と、頚を通す開放部８とを形成している。頸入れ部７には後頭部や顎に接触する部分にゴムやプラスチック等の弾性部材を着脱可能に設けることができる。
【００１４】
蓋３は、浴槽１の上端面に載置することができる板状のもので、使用時には、スローイング装置２の前記開放部８を設けた側の端部に接して、スローイング装置２とともに、前記頸入れ部７を除いて浴槽１の上端の開口部全体を覆うようにしている。
【００１５】
蓋３は、スローイング装置２を載置した箇所の反対側の端部に載置され、その上方に霧吹装置４を設置した第一蓋部９と、第一蓋部９とスローイング装置２間に載置される第二蓋部１０から構成される。第一蓋部９と第二蓋部１０は分離可能になっている。第一蓋部９は浴槽１の上端面に固定してもよい。
【００１６】
蓋３には、第一蓋部９において、霧吹装置４に通じる供給管１１、水吸引管１２及び湯気吸引管１３とが貫通している。第二蓋部１０は、平板状としているが、これに限定されず、折りたたみ式等にして伸縮自在なものとすることができる。
【００１７】
霧吹装置４は、加熱室１４とポンプ１５を備えており、加熱室１４の底に通じる供給管１１から浴槽１内に微細な水滴を吹き込む。加熱室１４にはヒーター１６が設けられており、水吸引管１２によって吸引された水（湯）、及び湯気吸引管１３によって吸引された湯気を、加熱室１４の底部に上向きに設けられたノズル１７から加熱室１４内に噴出させ、４５℃〜５０℃に加熱して微細な霧状の水滴にする。前記霧状の水滴は、ノズル１７によってマイナスイオンを帯びたものとすることができる。そして、この微細な霧状の水滴を、ポンプ１５の力で供給管１１を通して下方の浴槽１内に吹き込むことができるようにしている。
【００１８】
水吸引管１２は浴槽１の底部に達する長さを有する柔軟な管としており、湯気吸引管１３は、浴槽１の上部に達する短い管としており、いずれも加熱室１４の底に通じている。ヒーター１６は、図示した形状に限られず、螺旋形状のものを使用することもできる。なお、供給管１１、水吸引管１２、湯気吸引管１３、ヒーター１６の大きさ、本数等は適宜変更することができる。
【００１９】
この浴槽用健康器具を使用するには、まず、浴槽１に通常の入浴時の３分の１程度の湯をはっておき、浴槽１の一端部において、上端面に図１に示したようにスローイング装置２を載置し、開放部に頚を通し、後方の円弧部分に頭後部を懸ける。一方、浴槽１の他端部において、上端面に第一蓋部９と霧吹装置４を載置した状態にしておく。そして、スローイング装置２と第一蓋部９間において第二蓋部１０を浴槽１の上端面に載置する。
【００２０】
使用者は下半身を浮かすようにし、スローイング装置２により、下半身の体重を静かに首筋で支えるようにして頚、即ち頭後部両側の耳後元を起点として牽引が行われるようにする。
【００２１】
この浴槽用健康器具を使用すれば、いわゆる半身浴のような状態で、頭を支えて背中を伸ばしながら、サウナ状態で全身を温めることができるので、健康増進になる。しかも、浴槽１にはる湯の量は、通常の３分の１程度でよく、水道代や電気代又は燃料費の節約になる。
【００２２】
また、スローイング装置２により頸椎を牽引治療することができるとともに、浴槽１内の湯と蓋３との間の空間において、湯より高い温度の蒸気（霧吹装置４から吹き込まれる微細な水滴）により、全身を温めながら血液の流れを良くし、筋肉を柔軟にし、関節部をほぐすことができる。
【図面の簡単な説明】
【００２３】
【図１】この発明の実施形態の浴槽用健康器具を取付けた浴槽の正面側からの断面図である。
【図２】この発明の実施形態の浴槽用健康器具を取付けた浴槽の右側面側からの断面図である。
【図３】この発明の実施形態の浴槽用健康器具のスローイング装置の斜視図である。
【符号の説明】
【００２４】
１  浴槽
２  スローイング装置
３  蓋
４  霧吹装置
１１  供給管
１２  水吸引管
１３  湯気吸引管
【図１】
2006136349.tif 000003
【図２】
2006136349.tif 000004
【図３】
2006136349.tif 000005